(57)【要約】【課題】使い捨て手袋をワンタッチで簡単に手に装着する。【解決手段】合成樹脂製薄材を手の形状に形成した一方の薄片３Ａとこの薄片３Ａと同一形状で手首側が延長された他方の薄片３Ｂとを重ねて外周縁を溶着し、一方の薄片３Ａの手首側縁部３Ｃと他方の薄片３Ｂとの間に開口部４が形成された使い捨て手袋片３を、同じ向きに重ねて延長部Ｅの延長端側を接続し、延長部Ｅの延長端側には、外部の固定側鉤部１１に引っ掛けられる穴９、９が形成された掛け吊るし部８を設け、この掛け吊るし部８と開口部４との間の延長部Ｅには、延長部Ｅの接続側と手袋部３Ｓとを切り離し可能な線状の切り離し部５を形成し、切り離し部５の両端には、予め所定寸法切り込んだ切り込み部６を形成した。【選択図】図１
2016079521.tif 000002
【特許請求の範囲】
【請求項１】
合成樹脂製薄材を手の形状に形成した一方の薄片とこの薄片と同一形状で手首側が延長された他方の薄片とを重ねて外周縁を溶着し、一方の薄片の手首側縁部と他方の薄片との間に開口部が形成された使い捨て手袋片を、同じ向きに重ねて延長部の延長端側を接続し、延長部の延長端側には、外部の固定側鉤部に係止される係止部が形成された掛け吊るし部を設け、この掛け吊るし部と開口部との間の延長部には、延長部の接続側と手袋部とを切り離し可能な線状の切り離し部を形成したことを特徴とする使い捨て手袋の手袋束。
【請求項２】
切り離し部の両端のうち少なくともいずれか一方には、予め所定寸法切り込んだ切り込み部を形成したことを特徴とする請求項１に記載の使い捨て手袋の手袋束。
【請求項３】
切り離し部を開口部から所定の寸法隔てて形成したことを特徴とする請求項１または２に記載の使い捨て手袋の手袋束。
【請求項４】
掛け吊るし部を延長して構成し、掛け吊るし部に複数の手袋束を接続したことを特徴とする請求項１ないし３のうちいずれか１に記載の使い捨て手袋の手袋束。
【請求項５】
重ねられた手袋には、全体の枚数から順次切り離されて所定の枚数の手袋に達すると、残数または残数の少ないことを知らせる表示部が設けられることを特徴とする請求項１ないし４のうちいずれか１に記載の使い捨て手袋の手袋束。
【発明の詳細な説明】
【技術分野】
【０００１】
本発明は、使い捨て手袋の手袋束に関する。
【背景技術】
【０００２】
一般に、作業時、液体や汚濁物、薬品等から手の皮膚を保護したり、食品を取り扱う際の衛生管理の観点から、ポリエチレンフィルム等の合成樹脂製の使い捨て手袋が用いられる。このような使い捨て手袋は、一枚ずつ分離された複数の手袋を袋詰めして販売されることがある。この場合、袋から手袋を取り出し手に装着する際、手袋は薄い構成樹脂製の素材から構成されているため、滑りやすく、装着しにくいという課題がある。このため、従来、合成樹脂製の使い捨て手袋を複数枚重ねて、手首側に取り付け部を取り付けた手袋束として構成し、取り付け部と手を差し入れる開口部との間に横方向の切り取り線を形成した使い捨て手袋着用システムが提案されている（特許文献１参照。）。
【０００３】
この従来の使い捨て手袋着用システムでは、表面側の手袋を指で摘んで引っ張ると、切り取り線が切断され手袋側と取り付け部の手首側とが切り離され、切り離された手袋を片手に持って他方の手に装着するようになっている。
【先行技術文献】
【特許文献】
【０００４】
【特許文献１】米国特許出願公開第２００１／００３７５１６号明細書
【発明の概要】
【発明が解決しようとする課題】
【０００５】
しかしながら、上記特許文献１に記載の使い捨て手袋着用システムでは、薄手の手袋が合成樹脂から構成されているため、静電気が起こりやすく、手を差し入れる開口部が掌側と手の甲側とでぴったりとくっついてしまい片手を装着しにくく、装着に時間がかかるという問題がある。また、指で引っ張って一枚ずつ取り外すようにしているので、複数枚重なった場合、複数枚同時に取り外してしまい、無駄が発生するという問題がある。
【０００６】
本発明は、上記課題を解決するためになされたもので、簡素な構成で、ワンタッチで簡単に手に装着することができる使い捨て手袋の手袋束を提供することを目的とする。
【課題を解決するための手段】
【０００７】
本発明の請求項１に係る使い捨て手袋の手袋束は、合成樹脂製薄材を手の形状に形成した一方の薄片とこの薄片と同一形状で手首側が延長された他方の薄片とを重ねて外周縁を溶着し、一方の薄片の手首側縁部と他方の薄片との間に開口部が形成された使い捨て手袋片を、同じ向きに重ねて延長部の延長端側を接続し、延長部の延長端側には、外部の固定側鉤部に係止される係止部が形成された掛け吊るし部を設け、この掛け吊るし部と開口部との間の延長部には、延長部の接続側と手袋部とを切り離し可能な線状の切り離し部を形成したことを特徴としている。
【０００８】
本発明の請求項１に係る使い捨て手袋の手袋束では、合成樹脂製薄材を手の形状に形成した一方の薄片とこの薄片と同一形状で手首側が延長された他方の薄片とを重ねて外周縁を溶着し、一方の薄片の手首側縁部と他方の薄片との間に開口部が形成された使い捨て手袋片を、同じ向きに重ねて延長部の延長端側を接続し、延長部の延長端側には、外部の固定側鉤部に係止される係止部が形成された掛け吊るし部を設け、この掛け吊るし部と開口部との間の延長部には、延長部の接続側と手袋部とを切り離し可能な線状の切り離し部を形成したことにより、外部の固定側鉤部に掛け吊るし部を係止させ、手袋束の表側手袋片の開口部に手を差し入れ、そのまま差し入れ方向に力を加えると、切り離し部が切断されるので、ワンタッチで手に手袋を装着することができる。
【０００９】
本発明の請求項２に係る使い捨て手袋の手袋束は、切り離し部の両端のうち少なくともいずれか一方には、予め所定寸法切り込んだ切り込み部を形成したことを特徴としている。
【００１０】
本発明の請求項２に係る使い捨て手袋の手袋束では、切り離し部の両端のうち少なくともいずれか一方には、予め所定寸法切り込んだ切り込み部を形成したことにより、表側手袋の開口部のうち切り込み部が形成された側は、手袋部側の自重により垂れが生じ隙間が形成されるので、隙間から手を差し入れやすくなる。
【００１１】
本発明の請求項３に係る使い捨て手袋の手袋束は、切り離し部を開口部から所定の寸法隔てて形成したことを特徴としている。
【００１２】
本発明の請求項３に係る使い捨て手袋の手袋束では、切り離し部を開口部から所定の寸法隔てて形成したことにより、手袋に手を差し入れる際、切り離し部には、固定された掛け吊るし部側に対して手袋全体の差し入れ方向の力が逆方向への力として集中し、切り離し部は切断しやすくなる。
【００１３】
本発明の請求項４に係る使い捨て手袋の手袋束は、掛け吊るし部を延長して構成し、掛け吊るし部に複数の手袋束を接続したことを特徴としている。
【００１４】
本発明の請求項４に係る使い捨て手袋の手袋束では、掛け吊るし部を延長して構成し、掛け吊るし部に複数の手袋束を接続したことにより、一度に両手に手袋を装着することができる。
【００１５】
本発明の請求項５に係る使い捨て手袋の手袋束は、重ねられた手袋には、全体の枚数から順次切り離されて所定の枚数の手袋に達すると、残数または残数の少ないことを知らせる表示部が設けられることを特徴としている。
【００１６】
本発明の請求項５に係る使い捨て手袋の手袋束では、重ねられた手袋には、全体の枚数から順次切り離されて所定の枚数の手袋に達すると、残数または残数の少ないことを知らせる表示部が設けられるようにしたことにより、表示部により残数が表示されるので、交換時期を容易に知ることができる。
【発明の効果】
【００１７】
本発明に係る使い捨て手袋の手袋束は、合成樹脂製薄材を手の形状に形成した一方の薄片とこの薄片と同一形状で手首側が延長された他方の薄片とを重ねて外周縁を溶着し、一方の薄片の手首側縁部と他方の薄片との間に開口部が形成された使い捨て手袋片を、同じ向きに重ねて延長部の延長端側を接続し、延長部の延長端側には、外部の固定側鉤部に係止される係止部が形成された掛け吊るし部を設け、この掛け吊るし部と開口部との間の延長部には、延長部の接続側と手袋部とを切り離し可能な線状の切り離し部を形成したので、手袋束の表側から順にワンタッチで簡単に手袋を装着することができる。
【図面の簡単な説明】
【００１８】
【図１】本発明の第１実施形態である使い捨て手袋の手袋束を示す斜視図である。
【図２】（Ａ）および（Ｂ）はそれぞれ、第１実施形態の使い捨て手袋の手袋片を形成する説明図および切り離し部が形成された手袋片を示す平面図である。
【図３】（Ａ）ないし（Ｃ）はそれぞれ、第１実施形態の手袋束を構成する使い捨て手袋を示す平面図、使い捨て手袋を重ねた状態を示す斜視図および掛け吊るし部を重ねた使い捨て手袋の延長部に溶着する状態を示す説明図である。
【図４】第１実施形態の使い捨て手袋の手袋束を示す一部省略断面図である。
【図５】第１実施形態の切り離された手袋を示す説明図である。
【図６】本発明の第２実施形態である使い捨て手袋の手袋束を示す説明図である。
【発明を実施するための形態】
【００１９】
簡素な構成で、使い捨て手袋をワンタッチで簡単に手に装着するという目的を、合成樹脂製薄材を手の形状に形成した一方の薄片とこの薄片と同一形状で手首側が延長された他方の薄片とを重ねて外周縁を溶着し、一方の薄片の手首側縁部と他方の薄片との間に開口部が形成された使い捨て手袋片を、同じ向きに重ねて延長部の延長端側を接続し、延長部の延長端側には、外部の固定側鉤部に係止される係止部が形成された掛け吊るし部を設け、この掛け吊るし部と開口部との間の延長部には、延長部の接続側と手袋部とを切り離し可能な線状の切り離し部を形成し、切り離し部の両端のうち少なくともいずれか一方を予め所定寸法切り離して構成したことにより実現した。
【００２０】
以下、本発明の実施の形態を、図面を参照して説明する。図１は、本発明の第１実施形態である使い捨て手袋の手袋束を示す斜視図である。
【００２１】
本発明の第１実施形態に係る使い捨て手袋の手袋束２は、複数の手袋片３を重ね、手首側延長部の延長側を溶着して構成される。手袋片３は、図２の（Ａ）に示すように、ポリエチレン等の合成樹脂製フィルム（合成樹脂製薄材）を手形状にカットした短寸の薄片（一方の薄片）３Ａと、この手形状薄片３Ａと同じ形状の手形状部Ｈとこの手形状部Ｈから連続し手首側が延長された延長部Ｅとを有する長寸の薄片（他方の薄片）３Ｂとを重ね合わせて外周縁を溶着して構成される。
【００２２】
短寸薄片３Ａの手首側縁部３Ｃと長寸薄片３Ｂとの間には開口部４が形成される。手袋片３は、図２の（Ｂ）に示すように、開口部４から手首側に所定寸法Ｌ１隔てて直線状に切り離し部５が横方向に形成される。切り離し部５は点線状の孔が穿設されて形成される。切り離し部５は手袋片３の縦方向両端側に力が加えられると、切り離されるようになっている。この切り離し部５の両端には、切り込み部６が形成される。切り込み部６は、手袋片３が指側を下に手首側を上にして吊り下げられた際、素材の自重により開口部４が押し広げられて隙間Ｓができるようになっている。なお、切り込み部６は、開口部４に隙間Ｓを確保するものであれば、切り離し部５の両端に限らず、どちらか一方に形成してもよい。切り込み部６の切り込み深さ寸法Ｍ１は、素材の性質や単位当たり重量に応じて決定される。
【００２３】
手袋片３は、図３の（Ａ）に示す手袋片３を開口部４を表側にして同じ向きに上下に重ねられる。重ねられるｎ個（ｎは自然数）の手袋片３のうち、最も下側の手袋片３Ｌ（上から第ｎ番目の手袋片（３‐ｎ））から数えて所定の枚数（例えば５枚）上側の手袋片３Ｘには、残数または残数の少ないことを知らせるシール（表示部）７が延長部Ｅの切り離し部５より延長端側に貼り付けられるようになっている。例えば、残数が少なくなったことを知らせるには、「残少」という表示、残りの数を知らせるには「残り５枚」「残り○○枚」という表紙、あるいは単に赤色等の警告を示す色彩が施された表示がされるようになっている（図３の（Ｂ）参照）。このため、交換時期を容易に知ることができる
【００２４】
こうして積み重ねられた手袋片３は、延長部Ｅの延長端側に、掛け吊るし部８が設けられる。掛け吊るし部８は、硬質の合成樹脂製薄板材を折曲し、折曲端側の内側両面をそれぞれ、積み重ねられた手袋片３の表側の手袋片３Ｆの延長部Ｅと下側の手袋片３Ｌの延長部Ｅとに重ね合わせ、重ねられた手袋片３と一体に溶着されるようになっている（図３の（Ｃ）参照）。この掛け吊るし部８の折り曲げ部８Ａは手袋片３の延長部Ｅから外側に突出される。この突出部８Ｂには、穴（係止部）９が形成され、外部の壁や設置台等の固定側支持材１０に設けられた一対の鉤部１１に係止されるようになっている。こうして形成された手袋束２は、開口部４を表側に向け固定側支持材１０の鉤部１１に掛け吊るし部８の穴９を引っ掛けて、指側を下方に手首側を上方に向けて設置されるようになっている。掛け吊るし部８は、穴９を固定側支持材１０の鉤部１１に引っ掛けて係止するようにしているがこれに限られるものではなく、紐を掛けたり、固定側の突起に係止される切り欠き等を形成してもよく、固定側に係止される構造を有するものであればよい。
【００２５】
こうして鉤部１１に吊り下げられた手袋束２に対し、表側の手袋片３Ｆに開口部４から使用者が手を差し入れ、そのまま下方の差し入れ方向に力を加えると、切り離し部５が切断され、手袋部３Ｓ（図５参照）が分離されるので、ワンタッチで手に手袋部３Ｓを装着することができる。このとき、開口部４には、切り込み部６により隙間Ｓが形成されているので、手を開口部４に差し入れしやすくなっている。また、切り離し部５は開口部４から所定寸法Ｌ１延長端側に隔てられて形成されている。このため、手が下方の差し入れ方向に押し下げられて手袋片３に下方の力が加えられると、切り離し部５全体に均等に下方への力が加えられる。つまり、切り離し部５には、固定された掛け吊るし部８側に対して手袋全体の差し入れ方向の力が逆方向への力として集中するので、切り離し部８は切断しやすくなる。しかも、切り込み部６が形成されているため、切り込み部６側から切り離しを導くように切断が始まるので、切り離し部５はスムーズに切り離されるようになっいている。このように、本実施形態に係る使い捨て手袋の手袋束２は、手袋片３を指で摘むことなく、表側の手袋片３Ｆ（３‐１）の開口部に手を差し込むだけで手袋部３Ｓを手に円滑に装着させることができる。しかも、切り離された手袋部３Ｓの後には、次の手袋片３Ｆ（３‐２）が準備されているので、効率良く装着することができる。
【００２６】
次に、第１実施形態に係る使い捨て手袋の手袋束２の作用について説明する。手袋束２を、支持部材１０の鉤部１１に引っ掛けて吊すと、手袋束２は、指側を下方に手首側を上方に向けて設置される。手袋部３Ｓを手に装着する際は、手袋束２の表側の手袋片３Ｆの隙間Ｓを有する開口部４に手を差し入れ、そのまま差し入れ方向に力を加えると、切り離し部５が切断されるので、ワンタッチで手に手袋部３Ｓを装着することができる。このように、第１実施形態に係る使い捨て手袋の手袋束２では、手袋を摘み上げたり、指で開口部を押し広げたりすることなく、ワンタッチで手に手袋部３Ｓを装着することができるので、ユーザがストレスを感じることなく装着することができる。
【００２７】
次に、本発明の第２実施形態に係る使い捨て手袋の手袋束２２について説明する。本発明の第２実施形態に係る手袋束２２は、上記第１実施形態に係る手袋束２が重ねられた手袋片３‐１〜３‐ｎ一山毎に掛け吊るし部８を設けているのに対し、図６に示すように、掛け吊るし部２８を延長して構成し、掛け吊るし部２８の延長端側にそれぞれ積み重ねられた手袋片３、３を接続した点が異なる外は、上記第１実施形態に係る使い捨て手袋の手袋束２とほぼ同一の構成を備えている。
【００２８】
すなわち、第２実施形態に係る使い捨て手袋の手袋束２２では、掛け吊るし部２８が、一対の重ねられた手袋片３、３を親指側を向かい合わせにし、両手が同時に差し入れられた際、窮屈にならない程度の間隔を隔てて配置されるようにし、このように配置された一対の手袋片３、３の山に対して両延長部Ｅ、Ｅに溶着される長さ寸法に形成される。掛け吊るし部２８には上部に固定側支持材（図示せず）の鉤部３１、３１に引っ掛けられる穴（係止部）２９、２９が形成される。本実施形態に係る手袋束２２はこのように構成されているので、両手を同時に一対の表側手袋片３Ｆ、３Ｆに差し入れて、これら両手袋部３Ｓ、３Ｓをほぼ同時に切り離し、一度で両手に手袋部３Ｓ、３Ｓを装着することができるようになっている。なお、本実施形態では、掛け吊るし部２８に一対の手袋片３、３の山を接続するようにしているが、これに限られるものではなく、２組以上の手袋片３の山を接続し、多人数でも利用できるようにしてもよい。
としている。
【符号の説明】
【００２９】
２  手袋束
３  手袋片
３Ａ  一方の薄片
３Ｂ  他方の薄片
３Ｃ  一方の薄片の手首側縁部
４  開口部
５  切り離し部
８  掛け吊るし部
９  穴（係止部）
１１  鉤部（固定側鉤部）
Ｅ  延長部
【図１】
2016079521.tif 000003
【図２】
2016079521.tif 000004
【図３】
2016079521.tif 000005
【図４】
2016079521.tif 000006
【図５】
2016079521.tif 000007
【図６】
2016079521.tif 000008